(57)【要約】【課題】精度が高い日時情報を簡単な構成で自動的に設定できる電子機器を提供することである。【解決手段】日時情報を計時する手段を備えたバッテリパックを装着して駆動する電子機器であって、バッテリパックと接続してデータ通信するバッテリ通信手段と、日時情報の計時処理を行う機器計時手段と、バッテリ通信手段を介してバッテリパックが有する日時情報を取得するバッテリ情報取得手段と、機器計時手段で計時処理を開始したときの日時を示す機器日時精度情報を生成する機器日時情報生成手段と、機器日時情報生成手段で生成した機器日時精度情報に基づいて機器計時手段で計時処理中の日時情報の経過時間を判定する機器日時判定手段と、機器日時判定手段の判定に基づいて機器計時手段で計時処理中の日時情報、又は、バッテリ情報取得手段で取得したバッテリパックが有する日時情報の何れか一方の日時情報を機器計時手段に自動設定する機器日時設定手段と、を具備する。【選択図】  図１
2005043307.tif 000002
【特許請求の範囲】
【請求項１】
日時情報を計時する手段を備えたバッテリパックを装着して駆動する電子機器であって、
前記バッテリパックと接続してデータ通信するバッテリ通信手段と、
日時情報の計時処理を行う機器計時手段と、
前記バッテリ通信手段を介して前記バッテリパックが有する日時情報を取得するバッテリ情報取得手段と、
前記機器計時手段で計時処理を開始したときの日時を示す機器日時精度情報を生成する機器日時情報生成手段と、
前記機器日時情報生成手段で生成した機器日時精度情報に基づいて前記機器計時手段で計時処理中の日時情報の経過時間を判定する機器日時判定手段と、
前記機器日時判定手段の判定に基づいて前記機器計時手段で計時処理中の日時情報、又は、前記バッテリ情報取得手段で取得した前記バッテリパックが有する日時情報の何れか一方の日時情報を前記機器計時手段に自動設定する機器日時設定手段と、を備えていること
を特徴とする電子機器。
【請求項２】
前記機器日時設定手段は、前記バッテリパックを装着したときに前記機器計時手段に日時情報が設定されていない場合、前記バッテリ情報取得手段によって取得した日時情報を前記バッテリ計時手段に自動設定する機能を備えていること
を特徴とする請求項１に記載の電子機器。
【請求項３】
前記機器日時設定手段は、時差を補正するための時差情報に基づいて前記バッテリ計時手段に自動設定する日時情報の時差を補正する時差補正手段を有していること
を特徴とする請求項１に記載の電子機器。
【請求項４】
充電器と接続して充電し、又、電子機器と接続して電力を供給するバッテリパックであって、
前記電子機器又は前記充電器と接続してデータ通信する機器通信手段と、
日時情報の計時処理を行うバッテリ計時手段と、
前記機器通信手段を介して前記充電器が有する日時情報を取得する充電器情報取得手段と、
前記充電器情報取得手段で取得した前記充電器が有する日時情報を前記バッテリ計時手段に設定するバッテリ日時設定手段と、
前記バッテリ計時手段で計時処理を開始したときの日時を示すバッテリ日時精度情報を生成するバッテリ日時情報生成手段と、
前記バッテリ日時情報生成手段で生成したバッテリ日時精度情報に基づいて前記バッテリ計時手段で計時処理中の日時情報の経過時間を判定するバッテリ日時判定手段と、
前記バッテリ日時判定手段の判定に基づいて前記バッテリ日時情報生成手段で生成したバッテリ日時精度情報を消去するバッテリ精度情報処理手段と、
前記機器通信手段を介して前記バッテリ計時手段で計時処理している日時情報を送出するデータ送出手段と、
を特徴とするバッテリパック。
【請求項５】
前記バッテリ日時設定手段は、前記電子機器に接続したときに前記バッテリ計時手段に日時情報が設定されていない場合、前記充電器情報取得手段を制御して前記電子機器が有する日時情報を取得し、該取得した電子機器が有する日時情報を前記バッテリ計時手段に自動設定する機能を備えていること
を特徴とする請求項４に記載のバッテリパック。
【請求項６】
電子機器と、前記電子機器を駆動するための電力を供給するバッテリパックと、前記バッテリパックを充電するための充電器と、から構成され、
前記バッテリパックを介して前記電子機器に日時情報を設定することができるシステムであって、
前記充電器は、
前記バッテリパックと接続してデータ通信する通信手段と、
標準時情報を取得する標準時情報取得手段と、
前記標準時情報取得手段で取得した標準時情報に基づいて前記電子機器に日時を設定するための日時情報を生成する日時情報生成手段と、
前記日時情報生成手段で生成された日時情報に基づいて計時処理を行う計時手段と、
前記通信手段を介して前記計時手段で計時処理している日時情報を送出するデータ送出手段と、を備え、
前記バッテリパックは、
前記電子機器又は前記充電器と接続してデータ通信する機器通信手段と、
日時情報の計時処理を行うバッテリ計時手段と、
前記機器通信手段を介して前記充電器が有する日時情報を取得する充電器情報取得手段と、
前記充電器情報取得手段で取得した前記充電器が有する日時情報を前記バッテリ計時手段に設定するバッテリ日時設定手段と、
前記バッテリ計時手段で計時処理を開始したときの日時を示すバッテリ日時精度情報を生成するバッテリ日時情報生成手段と、
前記バッテリ日時情報生成手段で生成したバッテリ日時精度情報に基づいて前記バッテリ計時手段で計時処理中の日時情報の経過時間を判定するバッテリ日時判定手段と、
前記バッテリ日時判定手段の判定に基づいて前記バッテリ日時情報生成手段で生成したバッテリ日時精度情報を消去するバッテリ精度情報処理手段と、
前記機器通信手段を介して前記バッテリ計時手段で計時処理している日時情報を送出するデータ送出手段と、を備え、
前記電子機器は、
前記バッテリパックと接続してデータ通信するバッテリ通信手段と、
日時情報の計時処理を行う機器計時手段と、
前記バッテリ通信手段を介して前記バッテリパックが有する日時情報を取得するバッテリ情報取得手段と、
前記機器計時手段で計時処理を開始したときの日時を示す機器日時精度情報を生成する機器日時情報生成手段と、
前記機器日時情報生成手段で生成した機器日時精度情報に基づいて前記機器計時手段で計時処理中の日時情報の経過時間を判定する機器日時判定手段と、
前記機器日時判定手段の判定に基づいて前記機器計時手段で計時処理中の日時情報、又は、前記バッテリ情報取得手段で取得した前記バッテリパックが有する日時情報の何れか一方の日時情報を前記機器計時手段に自動設定する機器日時設定手段と、を備えていること
を特徴とする電子機器の日時設定システム。
【請求項７】
前記電子機器の機器日時設定手段は、前記バッテリパックを装着したときに前記電子機器の機器計時手段に日時情報が設定されていない場合、前記電子機器のバッテリ情報取得手段によって取得した日時情報を前記電子機器のバッテリ計時手段に自動設定する機能を備えていること
を特徴とする請求項６に記載の電子機器の日時設定システム。
【請求項８】
前記電子機器の機器日時設定手段は、時差を補正するための時差情報に基づいて前記電子機器のバッテリ計時手段に自動設定する日時情報の時差を補正する時差補正手段を有していること
を特徴とする請求項６に記載の電子機器の日時設定システム。
【請求項９】
前記バッテリパックのバッテリ日時設定手段は、前記電子機器に接続したときに前記バッテリパックのバッテリ計時手段に日時情報が設定されていない場合、前記バッテリパックの充電器情報取得手段を制御して前記電子機器が有する日時情報を取得し、該取得した電子機器が有する日時情報を前記バッテリパックのバッテリ計時手段に自動設定する機能を備えていること
を特徴とする請求項６に記載の電子機器の日時設定システム。
【発明の詳細な説明】
【技術分野】
【０００１】
本発明は、電子機器及びバッテリパック及び電子機器の日時設定システムに関するものである。詳しくは、精度が高い日時情報を簡単な構成で自動的に設定できる電子機器及びバッテリパック及び電子機器の日時設定システムに関するものである。
【背景技術】
【０００２】
従来技術の携帯型電子機器、例えば、カメラ一体型ＶＴＲなどの撮像装置では、テープなどのメディア（記録媒体）に撮影日時を記録するため日付情報や時刻情報（以下、日時情報）が必要不可欠なものとなっている。
【０００３】
この日時情報の設定は、通常、ユーザが手動操作によって設定することが多いが、旅行等で携行するときなど、日時情報の他に地域情報や時差情報を設定しなければならないこともあり、設定操作の煩雑さが増している。
【０００４】
また、設定した日時情報を保持しておくために、機器本体にバックアップ用の電池を用いているが、近年、機器の小型化によりバックアップ用の電池も小型化が要求されるため、バッテリ容量も小さくなっている傾向にあり、しばらく使用しない場合は、バックアップ用の電池のバッテリ容量がバックアップ保持電圧を下回り、日時情報の再設定が必要となり、設定操作の煩雑さに遭遇する機会がますます増えている。
【０００５】
そこで、日時情報を自動的に設定する方法として、携帯型電子機器に装着して電力を供給する二次電池パックに時計機能を有する時計部と時刻を表示する表示部を設け、また、二次電池パックを充電するための充電装置に二次電池パックの時計部を設定する時刻設定部を設ける。
【０００６】
そして、充電装置によって二次電池パックを充電すると同時に、充電装置の時刻設定部により二次電池パックの時計部を制御して時刻を自動的に修正して、この二次電池パックを携帯型電子機器に装着すると、二次電池パックの時計部の時刻情報を携帯型電子機器に設定するという方法が考案されている。（例えば、特許文献１）。
【特許文献１】特開平６−２３０１５２号公報（第２頁、図１−図３）
【発明の開示】
【発明が解決しようとする課題】
【０００７】
しかしながら、二次電池パックによって電子機器に日時情報を設定する方法では、二次電池パック側に時刻表示部を設けたり、時計部の時刻情報を精度よく保持させることが必要なため、二次電池パック側の部品のコストがかかり、回路構成が複雑になったり、増大するという問題を有している。
【０００８】
従って、精度が高い日時情報を簡単な構成で自動的に設定できるようにすることに解決しなければならない課題を有する。
【課題を解決するための手段】
【０００９】
前記課題を解決するため、本発明に係る電子機器及びバッテリパック及び電子機器の日時設定システムは次のような構成にすることである。
【００１０】
（１）日時情報を計時する手段を備えたバッテリパックを装着して駆動する電子機器であって、前記バッテリパックと接続してデータ通信するバッテリ通信手段と、日時情報の計時処理を行う機器計時手段と、前記バッテリ通信手段を介して前記バッテリパックが有する日時情報を取得するバッテリ情報取得手段と、前記機器計時手段で計時処理を開始したときの日時を示す機器日時精度情報を生成する機器日時情報生成手段と、前記機器日時情報生成手段で生成した機器日時精度情報に基づいて前記機器計時手段で計時処理中の日時情報の経過時間を判定する機器日時判定手段と、前記機器日時判定手段の判定に基づいて前記機器計時手段で計時処理中の日時情報、又は、前記バッテリ情報取得手段で取得した前記バッテリパックが有する日時情報の何れか一方の日時情報を前記機器計時手段に自動設定する機器日時設定手段と、を備えていることを特徴とする電子機器。
（２）前記機器日時設定手段は、前記バッテリパックを装着したときに前記機器計時手段に日時情報が設定されていない場合、前記バッテリ情報取得手段によって取得した日時情報を前記バッテリ計時手段に自動設定する機能を備えていることを特徴とする（１）に記載の電子機器。
（３）前記機器日時設定手段は、時差を補正するための時差情報に基づいて前記バッテリ計時手段に自動設定する日時情報の時差を補正する時差補正手段を有していることを特徴とする（１）に記載の電子機器。
【００１１】
（４）充電器と接続して充電し、又、電子機器と接続して電力を供給するバッテリパックであって、前記電子機器又は前記充電器と接続してデータ通信する機器通信手段と、日時情報の計時処理を行うバッテリ計時手段と、前記機器通信手段を介して前記充電器が有する日時情報を取得する充電器情報取得手段と、前記充電器情報取得手段で取得した前記充電器が有する日時情報を前記バッテリ計時手段に設定するバッテリ日時設定手段と、前記バッテリ計時手段で計時処理を開始したときの日時を示すバッテリ日時精度情報を生成するバッテリ日時情報生成手段と、前記バッテリ日時情報生成手段で生成したバッテリ日時精度情報に基づいて前記バッテリ計時手段で計時処理中の日時情報の経過時間を判定するバッテリ日時判定手段と、前記バッテリ日時判定手段の判定に基づいて前記バッテリ日時情報生成手段で生成したバッテリ日時精度情報を消去するバッテリ精度情報処理手段と、前記機器通信手段を介して前記バッテリ計時手段で計時処理している日時情報を送出するデータ送出手段と、を特徴とするバッテリパック。
（５）前記バッテリ日時設定手段は、前記電子機器に接続したときに前記バッテリ計時手段に日時情報が設定されていない場合、前記充電器情報取得手段を制御して前記電子機器が有する日時情報を取得し、該取得した電子機器が有する日時情報を前記バッテリ計時手段に自動設定する機能を備えていることを特徴とする（４）に記載のバッテリパック。
【００１２】
（６）電子機器と、前記電子機器を駆動するための電力を供給するバッテリパックと、前記バッテリパックを充電するための充電器と、から構成され、前記バッテリパックを介して前記電子機器に日時情報を設定することができるシステムであって、前記充電器は、前記バッテリパックと接続してデータ通信する通信手段と、標準時情報を取得する標準時情報取得手段と、前記標準時情報取得手段で取得した標準時情報に基づいて前記電子機器に日時を設定するための日時情報を生成する日時情報生成手段と、前記日時情報生成手段で生成された日時情報に基づいて計時処理を行う計時手段と、前記通信手段を介して前記計時手段で計時処理している日時情報を送出するデータ送出手段と、を備え、前記バッテリパックは、前記電子機器又は前記充電器と接続してデータ通信する機器通信手段と、日時情報の計時処理を行うバッテリ計時手段と、前記機器通信手段を介して前記充電器が有する日時情報を取得する充電器情報取得手段と、前記充電器情報取得手段で取得した前記充電器が有する日時情報を前記バッテリ計時手段に設定するバッテリ日時設定手段と、前記バッテリ計時手段で計時処理を開始したときの日時を示すバッテリ日時精度情報を生成するバッテリ日時情報生成手段と、前記バッテリ日時情報生成手段で生成したバッテリ日時精度情報に基づいて前記バッテリ計時手段で計時処理中の日時情報の経過時間を判定するバッテリ日時判定手段と、前記バッテリ日時判定手段の判定に基づいて前記バッテリ日時情報生成手段で生成したバッテリ日時精度情報を消去するバッテリ精度情報処理手段と、前記機器通信手段を介して前記バッテリ計時手段で計時処理している日時情報を送出するデータ送出手段と、を備え、前記電子機器は、前記バッテリパックと接続してデータ通信するバッテリ通信手段と、日時情報の計時処理を行う機器計時手段と、前記バッテリ通信手段を介して前記バッテリパックが有する日時情報を取得するバッテリ情報取得手段と、前記機器計時手段で計時処理を開始したときの日時を示す機器日時精度情報を生成する機器日時情報生成手段と、前記機器日時情報生成手段で生成した機器日時精度情報に基づいて前記機器計時手段で計時処理中の日時情報の経過時間を判定する機器日時判定手段と、前記機器日時判定手段の判定に基づいて前記機器計時手段で計時処理中の日時情報、又は、前記バッテリ情報取得手段で取得した前記バッテリパックが有する日時情報の何れか一方の日時情報を前記機器計時手段に自動設定する機器日時設定手段と、を備えていることを特徴とする電子機器の日時設定システム。
（７）前記電子機器の機器日時設定手段は、前記バッテリパックを装着したときに前記電子機器の機器計時手段に日時情報が設定されていない場合、前記電子機器のバッテリ情報取得手段によって取得した日時情報を前記電子機器のバッテリ計時手段に自動設定する機能を備えていることを特徴とする（６）に記載の電子機器の日時設定システム。
（８）前記電子機器の機器日時設定手段は、時差を補正するための時差情報に基づいて前記電子機器のバッテリ計時手段に自動設定する日時情報の時差を補正する時差補正手段を有していることを特徴とする（６）に記載の電子機器の日時設定システム。
（９）前記バッテリパックのバッテリ日時設定手段は、前記電子機器に接続したときに前記バッテリパックのバッテリ計時手段に日時情報が設定されていない場合、前記バッテリパックの充電器情報取得手段を制御して前記電子機器が有する日時情報を取得し、該取得した電子機器が有する日時情報を前記バッテリパックのバッテリ計時手段に自動設定する機能を備えていることを特徴とする（６）に記載の電子機器の日時設定システム。
【００１３】
このような構成により、電子機器は、バッテリ情報取得手段によってバッテリパックが有する日時情報を取得し、また、機器日時判定手段が機器日時情報生成手段で生成した機器日時精度情報に基づいて機器計時手段の計時処理開始日時からの経過時間を判定し、機器日時設定手段がこの判定に基づいて機器計時手段で計時処理中の日時情報、又は、バッテリ情報取得手段で取得したバッテリパックが有する日時情報の何れか一方の日時情報を機器計時手段に自動設定するので、電子機器にバッテリパックを装着したとき、精度の高い方の日時情報が電子機器に自動設定されることになる。
【００１４】
一方、充電器は、標準時情報取得手段で取得した標準時情報に基づいて日時情報を生成し、この日時情報に基づいて計時処理を行い、バッテリパックは、充電器で充電するとき、充電器情報取得手段で充電器の日時情報を取得し、バッテリ日時設定手段によって、取得した充電器の日時情報をバッテリ計時手段に設定する。また、バッテリ日時判定手段がバッテリ日時情報生成手段で生成したバッテリ日時精度情報に基づいて日時情報の計時処理開始日時からの経過時間を判定し、バッテリ精度情報処理手段がこの判定に基づいてバッテリ日時精度情報を消去するので、充電器でバッテリパックを充電するときに、精度の高い日時情報がバッテリパックに設定され、また、一定の時間が経過するとバッテリ日時精度情報が消去されるので、バッテリパックを装着したときに電子機器に対して精度の高い日時情報を設定することができる。
【発明の効果】
【００１５】
充電器は、取得した標準時情報に基づいて日時情報を生成して計時処理し、バッテリパックは、充電するときに充電器からこの日時情報を取得して計時処理するとともに、計時処理開始日時を示すバッテリ精度情報を生成する。そして、バッテリパックは、このバッテリ精度情報に基づいて計時処理している日時情報の精度を判別し、一定の時間が経過したバッテリ精度情報を消去する。
【００１６】
一方、電子機器は、計時部の計時処理の開始日時を示す機器日時精度情報によって、計時処理中の日時情報とバッテリパックから得た日時情報の精度を判別し、精度の高い方の日時情報を自動設定し、更に、時差情報を与えることで時差補正が行われた日時情報を自動設定することもできるので、設定操作の手間をかけず、バッテリパックを電子機器に装着するだけで、簡単に高精度の日時情報を自動的に設定することができるという優れた効果を奏するものである。
【００１７】
また、電子機器及びバッテリパックでは、それぞれの計時部によって計時が開始された日時を示す日時精度情報（機器日時精度情報、バッテリ日時精度情報）に基づいて日時情報の精度を判定することにより、日時情報の精度を保持するための高価な部品が不要となり、回路構成を簡素化することができるというメリットがある。
【発明を実施するための最良の形態】
【００１８】
次に、本発明の電子機器及びバッテリパック及び電子機器の日時設定システムによる実施の形態について図面を参照して説明する。但し、図面は専ら解説のためのものであって、本発明の技術的範囲を限定するものではない。
【実施例】
【００１９】
まず、本発明の電子機器の日時設定システムにおいて、電子機器１０及びバッテリパック２０を接続したときの構成について説明する。
【００２０】
図１は、電子機器１０とバッテリパック２０を接続したときの構成を簡略化して示したブロック図である。
【００２１】
電子機器１０は、電源部１１、バックアップ電池１２、計時部１３、通信部１４、演算処理部１５、表示部１６、操作部１７、メモリ１８などを備えている。
【００２２】
電源部１１は、端子ａ１／ａ２を介してバッテリパック２０と接続し、演算処理部１５から供給される電力を機器内の各部に供給する。
【００２３】
バックアップ電池１２は、電源部１１からの電力供給がないときに、計時部１３に電力を供給する。
【００２４】
計時部１３は、電源部１１又はバックアップ電池１２からの電力供給によって動作し、バッテリパック２０から送られてくる日時情報に基づいて計時処理を行い、計時処理の開始日時を示す精度情報（以下、機器日時精度情報）を生成する。また、計時処理している日時情報や機器日時精度情報を演算処理部１５に送出する。
【００２５】
通信部１４は、端子ａ３を介して接続されるバッテリパック２０の通信部２３との間でデータ通信を行い、バッテリパック２０から送られてくる日時情報を受信し、受信した日時情報を演算処理部１５に送出する。
【００２６】
演算処理部１５は、メモリ１８などに記憶されているプログラムやデータ、操作部１７から送られてくる操作指示などに従って機器内の各部を制御する。
【００２７】
また、計時部１３の機器日時精度情報に基づいて、計時処理中の日時情報の経過時間を判定し、計時処理中の日時情報又はバッテリパック２０から送られてくる日時情報の何れか一方を機器に設定する。又、時差を調整するための時差情報をメモリ１８から読み出し、機器に設定する日時情報を読み出した時差情報で補正してから設定を行う。更に、設定した日時情報を表示部１６に表示したり、日時情報の設定を促すメッセージ情報などを表示部１６に表示する。
【００２８】
表示部１６は、演算処理部１５の制御に従い、データやメッセージ情報を表示する。
【００２９】
操作部１７は、ユーザの操作により与えられる機器への設定情報や機器への動作指示を演算処理部１５へ送出する。
【００３０】
メモリ１８は、例えば、ＲＯＭ（Ｒｅａｄ  Ｏｎｌｙ  Ｍｅｍｏｒｙ）などの不揮発性メモリであり、機器を動作させるための制御プログラムやデータ、時差を調整するための時差情報などが記憶されており、演算処理部１５の制御に従って記憶されている制御プログラムやデータ、時差情報が読み出される。
【００３１】
一方、バッテリパック２０は、バッテリセル２１、計時部２２、通信部２３、演算処理部２４などを備えている。
【００３２】
バッテリセル２１は、端子ｂ１／ｂ２を介して接続される充電器３０から充電を行い、また、端子ｂ１／ｂ２を介して接続される電子機器１０やバッテリパック２０内の各部に電力を供給する。
【００３３】
計時部２２は、バッテリセル２１からの電力供給によって動作し、演算処理部２４から送られてくる日時情報に基づいて計時処理を行い、計時処理の開始日時を示す精度情報（以下、バッテリ日時精度情報）を生成する。また、計時処理した日時情報やバッテリ日時精度情報を演算処理部２４に送出する。
【００３４】
通信部２３は、端子ｂ３を介して接続されるバッテリパック２０の通信部２３又は充電器３０の通信部３４との間でデータ通信を行い、充電器３０又は電子機器１０から送られてくる日時情報を演算処理部２４に送出し、演算処理部２４を介して送られてくる計時部２２からの日時情報やバッテリ日時精度情報を電子機器１０へ送出する。
【００３５】
演算処理部２４は、バッテリパック２０内の各部を制御したり、通信部２３を介して取得した充電器３０や電子機器１０からの日時情報を計時部２２に送ったり、計時部２２で計時処理された日時情報やバッテリ日時精度情報を通信部２３に送出する。また、計時部２２のバッテリ日時精度情報に基づいて、計時処理中の日時情報の経過時間を判定してバッテリ日時精度情報を計時部２２からクリアする。
【００３６】
次に、本発明の電子機器の日時設定システムにおいて、バッテリパックと充電器を接続したときの構成について説明する。
【００３７】
図２は、本発明の電子機器の日時設定システムにおいて、バッテリパックを充電器に接続したときの構成を簡略化して示したブロック図である。
【００３８】
バッテリパック２０は、図１と同じ構成であるため、説明を省略する。
【００３９】
充電器３０は、充電制御部３１、電源部３２、計時部３３、通信部３４、演算処理部３５、受信部３６などを備えている。
【００４０】
充電制御部３１は、端子ｃ１／ｃ２を介してバッテリパック２０と接続し、電源部３２からの電力をバッテリパック２０に供給する。
【００４１】
電源部３２は、ＡＣ電源などから得た電力を変換して充電制御部３１や充電器３０内の各部に供給する。
【００４２】
計時部３３は、演算処理部３５から送られてくる日時情報に基づいて計時処理を行い、また、計時処理した日時情報を演算処理部３５に送出する。
【００４３】
通信部３４は、端子ｃ３を介して接続されるバッテリパック２０の通信部２３との間でデータ通信を行い、演算処理部３５から送られてくる日時情報をバッテリパック２０に送出する。
【００４４】
演算処理部３５は、充電器３０内の各部を制御したり、受信部３６で受信した標準時情報に基づいて機器に設定するための日時情報を生成して計時部３３に送り、また、計時部３３で計時処理された日時情報をバッテリパック２０に送出する。
【００４５】
受信部３６は、標準電波、通信ネットワークなどを介して得られる正確な時刻情報である標準時情報を受信する機能を備え、受信した標準時情報を演算処理部３５に送出する。
【００４６】
続いて、上述した構成の電子機器１０、バッテリパック２０、充電器３０によって日時情報を設定するときの動作について説明する。
【００４７】
まず、図１に示した電子機器１０にバッテリパック２０を装着したときの日時情報の設定動作について図３のフローチャートを参照しながら説明する。
【００４８】
電子機器１０にバッテリパック２０を装着すると、電子機器１０の端子ａ１／ａ２／ａ３とバッテリパック２０の端子ｂ１／ｂ２／ｂ３が接続され、バッテリパック２０のバッテリセル２１から電子機器２０に電力が供給される。
【００４９】
そして、電子機器１０の電源をオンにすると、電子機器１０の通信部１４とバッテリパック２０の通信部２３は、それぞれ通信端子ａ３、通信端子ｂ３を介し、データ通信が可能であるか否かを確認する（ＳＴ１１０）。
【００５０】
もし、データ通信不可である場合は、データ通信は行われず、処理が終了となる（ＳＴ１１０→エンド）。
【００５１】
データ通信が可能であることを確認すると、電子機器１０の演算処理部１５は、計時部１３及びバッテリパック２０の計時部２２にそれぞれ日時情報が設定してあるか否かを確認する（ＳＴ１１０→ＳＴ１１１）。
【００５２】
電子機器１０の計時部１３、バッテリパック２０の計時部２２の双方に日時情報が設定してある場合、電子機器１０の演算処理部１５は、計時部１３の精度情報によって日時情報の経過時間（以下、経過時間）を判定する（ＳＴ１１１→ＳＴ１１２）。
【００５３】
計時部１３の日時情報の経過時間が一定時間内である場合、電子機器１０の演算処理部１５は、計時部１３の日時情報を機器に自動設定し、設定した日時情報を表示部１６に表示する（ＳＴ１１２→ＳＴ１１５）。
【００５４】
計時部１３の日時情報の経過時間が一定時間を超えている場合、電子機器１０の演算処理部１５は、通信部１４を制御し、バッテリパック２０に対して日時情報の送出要求を行う。
【００５５】
バッテリパック２０の演算処理部２４は、通信部２３を介して電子機器１０からの送出要求を受信すると、計時部２３の日時情報を読み出して電子機器１０へ送出する。
【００５６】
電子機器１０の演算処理部１５は、通信部１４を介してバッテリパック２０からの日時情報を受信すると、計時部１３の機器日時精度情報によって、バッテリパック２０の日時情報の経過時間を判定する、言い換えると、バッテリパック２０の日時情報が充電器３０から得た最新の日時情報であるか否かを判定する（ＳＴ１１２→ＳＴ１１３）。
【００５７】
バッテリパック２０からの日時情報の経過時間が一定時間内である場合、電子機器１０の演算処理部１５は、計時部１３の日時情報をバッテリパック２０から受信した日時情報に更新し、計時部１３は、計時処理を開始すると新たな機器日時精度情報を生成する（ＳＴ１１３→ＳＴ１１４）。
【００５８】
そして、電子機器１０の演算処理部１５は、計時部１３で更新した日時情報を最新の日時情報として機器に設定し、設定した日時情報を表示部１６に表示する（ＳＴ１１５→エンド）。
【００５９】
一方、バッテリパック２０からの日時情報の経過時間が一定時間を超えている場合、電子機器１０の演算処理部１５は、計時部１３の日時情報を機器に設定し、設定した日時情報とともに、最新の日時情報の取得を促すメッセージ情報を表示部１６に表示する（ＳＴ１１５→エンド）。
【００６０】
また、図３のステップＳＴ１１１において、電子機器１０の計時部１３、バッテリパック２０の計時部２２の何れか一方、又は双方に日時情報が設定されていない場合の動作について説明する。
【００６１】
まず、電子機器１０の計時部１３に日時情報が設定してあるか否かを再確認する（ＳＴ１１１→ＳＴ１２０）。
【００６２】
電子機器１０の計時部１３に日時情報が設定してある場合、電子機器１０の演算処理部１５は、計時部１３の日時情報を読み出してバッテリパック２０に送出する（ＳＴ１２０→ＳＴ１２１）。
【００６３】
バッテリパック２０では、通信部２３を介して電子機器１０からの日時情報を受信すると、演算処理部２４は、受信した日時情報を計時部２２に自動設定する（ＳＴ１２１）。
【００６４】
そして、電子機器１０の演算処理部１５は、設定してある日時情報とともに、最新の日時情報の取得を促すメッセージ情報を表示部１６に表示する（ＳＴ１２２→エンド）。
【００６５】
一方、電子機器１０の計時部１３に日時情報が設定されていない場合、電子機器１０の演算処理部１５は、バッテリパック２０の計時部２２に日時情報が設定されているか否かを確認する（ＳＴ１２０→ＳＴ１３０）。
【００６６】
ここで、電子機器１０の計時部１３に日時情報の設定がされていない状態とは、例えば、電子機器１０からバッテリパック２０が外された場合、電子機器１０内のバックアップ電池１２により計時部１３の日時情報は保持されるが、バックアップ電池１２のバッテリ容量が消耗して、日時情報を保持するために必要な所定電圧を下回ると、計時部１３では日時情報を保持できずに消去されてしまうような状態のことである。
【００６７】
そして、バッテリパック２０の計時部２２に日時情報の設定がされていないとき、即ち、電子機器１０、バッテリパック２０の双方に日時情報が設定されていないとき、電子機器１０の演算処理部１５は、双方に日時情報の設定がされていないことを示すメッセージ情報を表示部１６に表示し、日時情報の設定を促す（ＳＴ１３０→ＳＴ１３４→エンド）。
【００６８】
バッテリパック２０の計時部２２に日時情報が設定されているとき、電子機器１０の演算処理部１５は、通信部１４を制御して、バッテリパック２０に対して日時情報の送出要求を行う（ＳＴ１３０→ＳＴ１３１）。
【００６９】
バッテリパック２０の演算処理部２４は、通信部２３を介して電子機器１０からの送出要求を受信すると、計時部２３の日時情報及びバッテリ日時精度情報を読み出して電子機器１０へ送出する。
【００７０】
電子機器１０の演算処理部１５は、通信部１４を介してバッテリパック２０からの日時情報及びバッテリ日時精度情報を受信すると、受信したバッテリ日時精度情報に基づいてバッテリパック２０の日時情報の経過時間を判定する、言い換えると、バッテリパック２０の日時情報が充電器３０から得た最新の日時情報であるか否かを判定する（ＳＴ１３１）。
【００７１】
バッテリパック２０からの日時情報の経過時間が一定時間内である場合、電子機器１０の演算処理部１５は、計時部１３の日時情報をバッテリパック２０から受信した日時情報に更新し、計時部１３は、この日時情報に基づいて計時処理を開始すると新たな機器日時精度情報を生成する（ＳＴ１３１→ＳＴ１３２）。
【００７２】
そして、電子機器１０の演算処理部１５は、計時部１３で更新した日時情報を最新の日時情報として機器に設定し、設定した日時情報を表示部１６に表示する（ＳＴ１３２→ＳＴ１１５→エンド）。
【００７３】
バッテリパック２０からの日時情報の経過時間が一定時間を超えている場合、電子機器１０の演算処理部１５は、計時部１３の日時情報をバッテリパック２０から受信した日時情報に更新し、計時部１３は、計時処理を開始する。
【００７４】
そして、電子機器１０の演算処理部１５は、計時部１３で更新した日時情報を機器に設定するとともに、最新の日時情報の取得を促すメッセージ情報を表示部１６に表示する（ＳＴ１３１→ＳＴ１３３→エンド）。
【００７５】
また、電子機器１０のメモリ１８には時差情報が記憶されており、時差のある国や地域で機器を使用する場合に自動的に時差を補正することもできる。
【００７６】
時差を補正する場合は、操作部１７によって時差を補正するための機能をオンにしておくことにより、図４のフローチャートに基づいて時差が補正される。
【００７７】
図３のフローチャートのステップＳＴ１１４において、計時部１３の日時情報が更新されると、電子機器１０の演算処理部１５は、次に、時差を補正するための時差補正機能がオンであるか否かを判別する（ＳＴ２００）。
【００７８】
時差補正機能がオンでない場合、電子機器１０の演算処理部１５は、計時部１３で更新した日時情報を機器に設定し、設定した日時情報を表示部１６に表示する（ＳＴ２００→エンド）。
【００７９】
時差補正機能がオンのとき、電子機器１０の演算処理部１５は、メモリ１８に記憶してある時差情報を読み出し、読み出した時差情報に基づいて計時部１３で更新した日時情報の時差を補正し、計時部１３を時差補正した日時情報に更新するとともに、機器に設定して表示部１６に表示する（ＳＴ２００→ＳＴ２１０→エンド）。
【００８０】
続いて、図２に示した充電器３０にバッテリパック２０を装着したときの日時情報の設定動作について図５のフローチャートを参照しながら説明する。
【００８１】
充電器３０にバッテリパック２０を装着すると、バッテリパック２０の端子ｂ１／ｂ２／ｂ３と充電器３０の端子ｃ１／ｃ２／ｃ３が接続され、充電器３０からバッテリパック２０のバッテリセル２１へ充電を開始する。
【００８２】
充電が開始されると、バッテリパック２０の通信部２３と充電器３０の通信部３４は、それぞれ通信端子ｂ３、通信端子ｃ３を介し、データ通信が可能であるか否かを確認する（ＳＴ３００）。
【００８３】
もし、データ通信不可である場合は、データ通信は行われず、処理が終了となる（ＳＴ３００→エンド）。
【００８４】
データ通信が可能であることを確認すると、充電器３０の演算処理部３５は、計時部３３に日時情報が設定されているか否かを確認する（ＳＴ３００→ＳＴ３１０）。
【００８５】
充電器３０の計時部３３に日時情報が設定されている場合、演算処理部３５は、計時部３３の日時情報を読み出してバッテリパック２０へ送出する。
【００８６】
バッテリパック２０の演算処理部２４は、通信部２３を介して充電器３０から送られてくる日時情報を受信すると、計時部２２の日時情報を充電器３０から受信した日時情報に更新し、計時部２２は、計時処理を開始すると新たなバッテリ日時精度情報を生成する（ＳＴ３１０→ＳＴ３２０）。
【００８７】
一方、充電器３０の計時部３３に日時情報が設定されていない場合、演算処理部３５は、受信部３６によって標準電波を受信する、又は、通信ネットワークを介して標準時情報を受信し、受信した標準電波又は標準時情報を演算処理部３５に送出する（ＳＴ３１０→ＳＴ３１５）。
【００８８】
そして、充電器３０の演算処理部３５は、受信部３６で受信した標準電波又は標準時情報に基づいて日時情報を生成して計時部３３に送り、計時部３３によって計時処理を開始するとともに、生成した日時情報をバッテリパック２０へ送出する。
【００８９】
バッテリパック２０の演算処理部２４は、通信部２３を介して充電器３０から送られてくる日時情報を受信すると、計時部２２の日時情報を充電器３０から受信した日時情報に更新し、計時部２２は、計時処理を開始すると新たなバッテリ日時精度情報を生成する（ＳＴ３１５→ＳＴ３２０）。
【００９０】
なお、バッテリ２０の計時部２２で生成されるバッテリ日時精度情報は、図６に示すフローチャートに基づいて処理が行われる。
【００９１】
バッテリ２０の演算処理部２４は、計時部２２で生成されたバッテリ日時精度情報が有する計時処理開始日時と、バッテリ２０の計時部２２で計時処理している日時情報とを比較して、計時部２２で計時処理中の日時情報の経過時間を算出し、算出した日時情報の経過時間が一定時間を経過しているか否かを判定する（ＳＴ４００）。
【００９２】
日時情報の経過時間が一定時間を超えている場合、バッテリ２０の演算処理部２４は、計時部２２のバッテリ日時精度情報をクリアする（ＳＴ４００→ＳＴ４１０→エンド）。
【００９３】
精度情報の経過時間が一定時間内である場合、バッテリ２０の演算処理部２４は、計時部２２に現在あるバッテリ日時精度情報を保持する（ＳＴ４００→エンド）。
【００９４】
このように、日時情報の経過時間が一定時間を超えている場合、計時部２２のバッテリ日時精度情報をクリアすることにより、新旧のバッテリ日時精度情報が誤って設定されることを防ぎ、バッテリ日時精度情報の信頼度低下を防止している。
【図面の簡単な説明】
【００９５】
【図１】本発明に係る電子機器の日時設定システムにおいて、電子機器とバッテリパックを接続したときの構成を簡略化して示したブロック図示した図である。
【図２】本発明に係る電子機器の日時設定システムにおいて、バッテリパックを充電器に接続したときの構成を簡略化して示したブロック図である。
【図３】図１に示したブロック図において、バッテリパックから電子機器へ日時情報を設定するときの動作を説明するためのフローチャートである。
【図４】図３に示したフローチャートにおいて、更に、日時情報の時差を補正して設定するときの動作を説明するためのフローチャートである。
【図５】図２に示したブロック図において、充電器からバッテリパックへ日時情報を設定するときの動作について説明するためのフローチャートである。
【図６】図１、２に示したブロック図において、バッテリパックの計時部に設定されている精度情報の処理動作を説明するためのフローチャートである。
【符号の説明】
【００９６】
１０；電子機器、１１；電源部、１２；バックアップ電池、１３；計時部、１４；通信部、１５；演算処理部、１６；表示部、１７；操作部、１８；メモリ
２０；バッテリパック、２１；バッテリセル、２２；計時部、２３；通信部、２４；演算処理部
３０；充電器、３１；充電制御部、３２；電源部、３３；計時部、３４；通信部、３５；演算処理部、３６；受信部
【図１】
2005043307.tif 000003
【図２】
2005043307.tif 000004
【図３】
2005043307.tif 000005
【図４】
2005043307.tif 000006
【図５】
2005043307.tif 000007
【図６】
2005043307.tif 000008